【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
フィルム材料を移動させるために前記フィルム材料に係合するフィルム駆動アセンブリであって、
前記フィルム材料と摩擦によって係合するための駆動面を有し、前記駆動面が前記フィルム材料と係合する全体的に直線状の第１経路部を含む所定経路に沿って移動し、前記駆動面から前記ベルトを横断して延びる複数の通路を有するループ状の駆動ベルトと、
前記フィルム材料にわたる空気圧の違いが前記第１経路部において前記駆動面に対して前記フィルム材料を押し付けるように、前記複数の通路が減圧された空気圧にさらされるように、前記減圧された空気圧にさらされ且つ前記第１経路部の少なくとも一部にわたって前記複数の通路と接続するマニホールドと、
前記駆動ベルトが前記所定経路に沿って所定の方向に動かされるように、前記駆動ベルトに係合される駆動プーリと、
複数のベルト係合デバイスであって、前記ベルトは、前記第１経路部を提供するために、前記複数のベルト係合デバイスの内の第１ベルト係合デバイスと前記複数のベルト係合デバイスの内の第２ベルト係合デバイスの間を通過し、前記第１及び第２ベルト係合デバイス並びに駆動プーリは第２経路部と第３経路部を提供するために協働し、前記第１経路部に対する前記第２及び前記第３経路部は、前記第１経路部から離れて延びる方向を有する、複数のベルト係合デバイスと
を含む、フィルム駆動アセンブリ。
【請求項２】
前記第２及び第３経路部は直線的である、請求項１に記載のフィルム駆動アセンブリ。
【請求項３】
前記フィルム材料を加熱するために前記第１経路部に加熱バーを含む、請求項１又は２に記載のフィルム駆動アセンブリ。
【請求項４】
前記ベルトは第１ベルトであり、前記フィルム駆動アセンブリは第２ベルトを含み、前記第２ベルトは、前記第１経路部において前記第１ベルトに対して全体的に平行であり且つ前記駆動面と前記第２ベルトの前記駆動面から前記第２ベルトを横断して延びる複数の通路とを含み、前記第２ベルトの前記通路は、前記第２ベルトの前記複数の通路も前記フィルム材料が前記第２ベルトに係合するのを促すように減圧された空気圧にさらされるべく前記マニホールドと連通する、請求項１、２又は３に記載のフィルム駆動アセンブリ。
【請求項５】
前記第２ベルトは前記駆動プーリ及び前記第１及び第２ベルト係合デバイスの周りを通過する、請求項４に記載のフィルム駆動アセンブリ。
【請求項６】
前記第１及び第２ベルト係合デバイスは第１及び第２遊びローラである、請求項１〜５のいずれか一項に記載のフィルム駆動アセンブリ。
【請求項７】
前記駆動プーリはある半径を有し、前記第１及び第２遊びローラの各々もある半径を有し、前記駆動プーリの半径は前記第１及び第２遊びローラの半径よりも長い、請求項６に記載のフィルム駆動アセンブリ。
【請求項８】
前記第１遊びローラは前記第２遊びローラの概ね垂直上方にある、請求項６又は７に記載のフィルム駆動アセンブリ。
【請求項９】
前記第２経路部は前記第２遊びローラと前記駆動プーリとの間に延び、前記第２経路部は概ね水平に延びる、請求項６、７又は８に記載のフィルム駆動アセンブリ。
【請求項１０】
さらなる遊びローラを含み、前記さらなる遊びローラは前記駆動ベルトが前記駆動プーリと係合するのを促す、請求項６〜９のいずれか一項に記載のフィルム駆動アセンブリ。
【請求項１１】
フィルム駆動アセンブリとフォーマショルダとの組み合わせ体であって、
前記フォーマショルダは、中空部及びフォーマ下端部を提供し、ストリップ状の袋材を前記フォーマショルダから所定の方向に移動される管状の袋材に形成するために前記ストリップ状の袋材を受け取る外側面を有し、
前記フィルム駆動アセンブリは、
全体的に平行な軸の周りを回転するように取り付けられる少なくとも一対の離隔されたローラであって、上部ローラと下部ローラとを含み、前記上部ローラは少なくとも部分的に前記下部ローラより上に突出している、前記一対の離隔されたローラと、
前記ローラの間に延びるベルト駆動部を提供するように前記ローラの周りを進み、前記管状の袋材を前記所定の方向に動かすために前記管状の袋材と係合する駆動ベルトと
を含み、
前記ベルト駆動部は前記所定の方向に対して全体的に平行に延びる、組み合わせ体。
【請求項１２】
前記上部ローラは前記中空部内に延びる、請求項１１に記載の組み合わせ体。
【請求項１３】
前記組み合わせ体は前記フォーマショルダを提供するフォーマを含み、
前記フォーマはさらに、前記フォーマショルダが取り付けられるベースプレートを提供し、前記一対のローラ及びベルトは第１サブアセンブリを形成し、前記フィルム駆動アセンブリは第２サブアセンブリを含み、
前記第２サブアセンブリは、
全体的に平行な軸の周りを回転するように取り付けられる少なくとも一対の離隔されたローラであって、上部ローラと下部ローラとを含むローラと、
前記第２サブアセンブリのローラの間に延びるベルト駆動部を提供するように前記第２サブアセンブリのローラの周りを進み、前記管状の袋材を前記所定の方向に動かすために前記管状の袋材と係合する駆動ベルトと
を含み、
前記第１及び２サブアセンブリのベルト駆動部は全体的に平行であるが、横断方向に離隔され且つ前記管状の袋材の対向する両側に配置され、前記上部ローラは少なくとも部分的に前記ベースプレートよりも高く突出するように配置される、請求項１１又は１２記載の組み合わせ体。
【請求項１４】
フィルム駆動アセンブリとフォーマとの組み合わせ体であって、
前記フォーマは、
中空部と、ストリップ状の袋材を前記フォーマから所定の方向に移動される管状の袋材に形成するために前記ストリップ状の袋材を受け取る面とを提供するフォーマショルダと、
前記フォーマショルダがベースプレートよりも少なくとも実質的に上になるように、前記フォーマショルダが取り付けられる前記ベースプレートと
を含み、
前記フィルム駆動アセンブリは、
全体的に平行な軸の周りを回転するように取り付けられる少なくとも一対の離隔されたローラであって、上部ローラと下部ローラとを含み、前記上部ローラは少なくとも部分的に前記下部ローラよりも高く突出している、前記一対の離隔されたローラと、
前記ローラの間に延びるベルト駆動部を提供するように前記ローラの周りを進み、前記管状の袋材を前記所定の方向に動かすために前記管状の袋材と係合する駆動ベルトと
を含む、組み合わせ体。
【請求項１５】
前記一対の離隔されたローラは第１サブアセンブリの一部であり、前記フィルム駆動アセンブリは第２サブアセンブリを含み、
前記第２サブアセンブリは、
全体的に平行な軸の周りを回転するように取り付けられ、上部ローラと下部ローラとを含む、少なくとも一対の離隔されたローラと、
前記第２サブアセンブリのローラの間に延びるベルト駆動部を設けるように前記第２サブアセンブリのローラの周りを進み、前記管状の袋材を前記所定の方向に動かすために前記管状の袋材と係合する駆動ベルトとを含み、
前記第１及び２サブアセンブリのベルト駆動部は全体的に平行であるが、横断方向に離隔され且つ前記管状の袋材の対向する両側に配置され、前記上部ローラは少なくとも部分的に前記ベースプレートよりも高く突出するように配置される、請求項１４に記載の組み合わせ体。
【請求項１６】
前記第１サブアセンブリは後部サブアセンブリであり、前記第２サブアセンブリは前部サブアセンブリであり、前記前部サブアセンブリは前記管状の袋材の長手方向の重ね端部の近傍に配置されるように位置決めされる、請求項１５に記載の組み合わせ体。
【請求項１７】
前記第１及び第２サブアセンブリは、両方が前記管状の袋材の長手方向の重ね端部から離隔されるように、前記管状の袋材の左右側に配置される、請求項１５又は１６に記載の組み合わせ体。
【請求項１８】
前記各サブアセンブリは第３ローラを含み、前記第３ローラは各サブアセンブリの前記上部ローラ及び下部ローラから離隔され、前記第３ローラは対応するベルトを駆動するための駆動プーリであり且つ前記ベルト駆動部から横方向に離隔される、請求項１７に記載の組み合わせ体。
【請求項１９】
各サブアセンブリの前記駆動プーリは、前記各サブアセンブリの前記上部ローラ及び下部ローラよりも長い半径を有する、請求項１８に記載の組み合わせ体。
【請求項２０】
フィルム駆動アセンブリと前記フィルム駆動アセンブリから管状の袋材を受け取る包装機との組み合わせ体にあって、
前記フィルム駆動アセンブリは、
一つが駆動プーリである複数のローラと、
前記包装機に搬送するための所定の方向に前記管状の袋材を移動するために前記管状の袋材に係合するベルト駆動部を提供するように前記複数のローラの周りを通過するループ状のベルトと
を含み、
前記包装機は、
互いに反対の角度方向に繰り返される回転により一斉に回転可能に駆動される一対のシーリング顎体であって、各顎体が角速度を有するように前記所定の方向に対して全体的に横切って離隔された全体的に平行な軸の周りを駆動され、製品の袋を形成するために前記管状の袋材を横断して封止するように前記管状の袋材と係合する一対のシーリング顎体と、
前記ベルト及び前記一対のシーリング顎体の動作を引き起こすために前記フィルム駆動アセンブリ及び前記包装機と動作可能に接続される一つのモータ又は複数モータと
を含み、
前記組み合わせ体は、前記一つのモータ又は複数モータの動作を引き起こすために前記一つのモータ又は複数モータに動作可能に接続されるコントロールをさらに含み、前記コントロールは、前記一対のシーリング顎体は、相互に近接するとき、前記管状の袋材と係合するために、前記フィルム駆動アセンブリによって駆動される前記ベルトの速度よりも遅い周速度を有することができるように、前記一つのモータ又は複数のモータが前記ベルト及び前記一対のシーリング顎体を駆動するように制御可能である、組み合わせ体。
【請求項２１】
前記一つのモータ又は複数のモータは複数のサーボモータを含み、少なくとも一つのサーボモータが駆動プーリを駆動し且つ少なくとも一つのサーボモータが前記一対のシーリング顎体を駆動し、前記コントロールは前記ベルトが所定の速度で前記管状の袋材を提供するように前記複数のサーボモータを駆動するようにプログラムされたコンピュータであり、前記一対のシーリング顎体を駆動するサーボモータは前記一対のシーリング顎体が前記所定の速度よりも遅い周速度を有するように動作される、請求項２０に記載の組み合わせ体。
【請求項２２】
前記周速度は前記所定の方向の反対方向にある、請求項２０又は２１に記載の組み合わせ体。